(57)【特許請求の範囲】
【請求項１】
ＳＩＭカードの起動及びリアルタイムの残高取得方法において、以下のステップを行う方法：
ステップ１  ユーザは移動通信装置を始動し、前記ＳＩＭカードは該移動通信装置の操作インターフェースを介して登録起動の指示メッセージを表示する；前記ユーザは、プロンプトに従い登録情報を入力し、前記登録情報はサービスプロバイダのリモートサーバへと送信され、前記ＳＩＭカードが起動される；前記ＳＩＭカードは、いくつかのプリセットアプリケーションプログラムを前記移動通信装置に自動的にインストールする、
ステップ２  ユーザは、任意の前記プリセットアプリケーションプログラムを始動することで操作記録を作成し、前記操作記録は、前記リモートサーバに自動的に送信される；リモートサーバは、該操作記録を受信すると、ＳＩＭカードの請求残高情報を自動的に照合し、残高取得指示を、通信プロバイダのドッキングサーバへと送信する、
ステップ３  前記ドッキングサーバは、前記残高取得指示を受信すると、サービスプロバイダのデータベースにより、前記サービスプロバイダのＩＤを最初に自動検証する；検証結果がサービスプロバイダのＩＤが有効であることを示すと、ドッキングサーバは、対応するＳＩＭカードの残高をリアルタイムで調整し；前記ＳＩＭカードの現在の残高情報を前記リモートサーバへと送信する、
ステップ４  前記リモートサーバは、現在の残高情報を受信し、前記残高を前記ユーザにフィードバックする。
【請求項２】
請求項１に記載の方法において、前記ステップ１に代わって下記のように行う方法：
ステップ１．１  前記ユーザが前記移動通信装置を始動すると、前記ＳＩＭカードも始動する；この際、ＳＩＭカードは、自身の起動の有無を確認するため、最初に自己検証を実行する；起動された場合、ＳＩＭカードは移動通信装置に直接接続され、起動されていない場合、ＳＩＭカードは、移動通信装置の前記操作インターフェースに、登録起動の指示メッセージを表示する、
ステップ１．２  前記ユーザはプロンプトに従い、登録されたユーザアカウント名、基本情報及びプリセットパスワードなどの登録情報を入力し、検証する、
ステップ１．３  登録されたユーザアカウント名、基本情報及びプリセットパスワードなどの登録情報は、サービスプロバイダのリモートサーバへと送信される；前記リモートサーバが情報を受信すると、ＳＩＭカードが起動される；さらにＳＩＭカードは、いくつかのプリセットアプリケーションプログラムを移動通信装置に自動的にインストールする。
【請求項３】
請求項１に記載の方法において、前記ＳＩＭカードが起動されると、前記ＳＩＭカードは、前記移動通信装置の操作インターフェースを介して、サービスプロバイダによってプリセットされた情報を自動的に表示することを特徴とする方法。
【請求項４】
請求項１に記載の方法において、前記ＳＩＭカードが起動されると、前記ＳＩＭカードは、前記移動通信装置の操作インターフェースを介して、サービスプロバイダによってプリセットされたゲームを提供することを特徴とする方法。
【請求項５】
請求項３に記載の方法において、前記ＳＩＭカードが起動され、前記ユーザが移動通信装置の画面を開くと、移動通信装置の操作インターフェースを介して前記情報が自動的に表示されることを特徴とする方法。
【請求項６】
請求項３に記載の方法において、前記ＳＩＭカードが起動され、前記ユーザが移動通信装置の画面を開く前に、移動通信装置の操作インターフェースを介して前記情報が自動的に表示されることを特徴とする方法。
【請求項７】
請求項１に記載の方法において、前記ステップ４に代わって下記のように行う方法：
ステップ４．１  前記リモートサーバは、ドッキングサーバから現在の残高情報を受信すると、前記現在の残高情報をネットワークにアップロードする；
ステップ４．２  前記ユーザは前記プリセットアプリケーションプログラムを始動し、前記ＳＩＭカードの起動に使用される登録アカウントにログオンすることで、ＳＩＭカードの現在の残高のメッセージを閲覧する。
【発明の詳細な説明】
【技術分野】
【０００１】
本発明は、通信サービス技術、特にＳＩＭカードの起動及びリアルタイムでの残高取得方法に関する。
【背景技術】
【０００２】
日々進化し続けている運送業により、現在、海外出張は一般的になり、多くの家族の休日や余暇の過ごし方として海外旅行が選択肢の一つとなっている。しかし通信サービス方式は国によって異なるため、自国のＳＩＭカードが外国では使用できない場合もある。他人と通信する際、ユーザは、現地プロバイダが用意したＳＩＭカードを使用しなければならず、このようなＳＩＭカードを入手することができる。また国や地域によっては、外国からの旅行者に、予めバリューデータが格納された無料のＳＩＭカードが提供される場合もある。
【０００３】
現在では、ＳＩＭカードに予め格納されている残高を取得する前に、このようなＳＩＭカードを最初に起動させることが必要となる。従来、ＳＩＭカードの起動においてユーザは、通信プロバイダのカスタマーサービスホットラインに直接ダイアルアップ接続し、指示に従ってＳＩＭカードを起動させることが求められている。しかしこのような起動方式は、言葉の壁や、操作が困難といった多くの問題を抱えている。さらにＳＩＭカードの残高取得のため、残高の限度値を格納し、自動的に加算することが一般的であるが、これは時間遅延や不便さという問題につながる。一方、ある国又は地域に到着した訪問者は、周辺の店舗や観光地などのリアルタイムの情報を得ることが一般的に難しいため、現地の観光サービスセンターから資料を入手したり、関連情報を検索するため携帯機器を使用しなければならない。この方法はかなり不便である。
【０００４】
上記の背景により、ユーザにとって簡易な要求事項や手順によるＳＩＭカードの起動方法、そして残高や周辺情報を簡単に取得できる方法が重要な役を果たすことになる。
【発明の概要】
【発明が解決しようとする課題】
【０００５】
現在の技術的な限界を克服するため、本発明の目的は、ＳＩＭカードの起動及びリアルタイムでの残高取得方法を提供することで、ＳＩＭカードの起動や残高取得時の不便さなどの問題に対処することにある。この方法は、周辺関連推奨情報を積極的にユーザに送信することで、ユーザの利便性も向上させる。
【課題を解決するための手段】
【０００６】
上記目的を達成するため、本発明は、以下の技術解決策を提供する。
【０００７】
ＳＩＭカードの起動及びリアルタイムの残高取得方法において、この方法は以下のステップから構成される。
【０００８】
ステップ１  ユーザは移動通信装置を始動し、ＳＩＭカードは、この移動通信装置の操作インターフェースを介して登録起動の指示メッセージを表示する。ユーザは、プロンプトに従い登録情報を入力し、登録情報はサービスプロバイダのリモートサーバへと送信され、ＳＩＭカードが起動される。ＳＩＭカードは、いくつかのプリセットアプリケーションプログラムを移動通信装置に自動的にインストールする。
【０００９】
更に、ステップ１の具体的な実現工程について以下に説明する。
【００１０】
ステップ１．１  ユーザが移動通信装置を始動すると、ＳＩＭカードも始動する。この際、ＳＩＭカードは、自身の起動の有無を確認するため、最初に自己検証を実行する。起動されている場合、ＳＩＭカードは移動通信装置に直接接続され、そうでない場合、ＳＩＭカードは、移動通信装置の操作インターフェースに、登録起動の指示メッセージを表示する。  
【００１１】
ステップ１．２  ユーザはプロンプトに従い、登録されたユーザアカウント名、基本情報及びプリセットパスワードなどの登録情報を入力し、検証する。
【００１２】
ステップ１．３  登録されたユーザアカウント名、基本情報及びプリセットパスワードなどの登録情報は、サービスプロバイダのリモートサーバへと送信される。リモートサーバがこのような情報を受信すると、ＳＩＭカードが起動される。さらにＳＩＭカードは、いくつかのプリセットアプリケーションプログラムを移動通信装置に自動的にインストールする。  
【００１３】
ＳＩＭカードが起動されると、このＳＩＭカードは、移動通信装置の操作インターフェースを介し、サービスプロバイダによってプリセットされた情報を自動的に表示する。    
【００１４】
ＳＩＭカードが起動され、ユーザが移動通信装置の画面を開くと、移動通信装置の操作インターフェースを介し、自動的に情報が表示される。    
【００１５】
ＳＩＭカードの起動及びリアルタイムの残高取得方法において、ＳＩＭカードを起動後、このＳＩＭカードは、移動通信装置の操作インターフェースを介し、サービスプロバイダによってプリセットされたゲームを提供する。  
【００１６】
このような情報は、別の方式でも表示可能である。即ちＳＩＭカードが起動し、ユーザが移動通信装置の画面を開く前に、移動通信装置の操作インターフェースを介し、自動的に情報が表示される。
【００１７】
ユーザは、情報を削除するため、情報インターフェースを上下にスライドさせる、情報インターフェース上の「閉じる」ボタンをクリックする、又は情報の表示が完了後、自動的に削除されるまで待機するかのいずれかの選択が可能である。
【００１８】
ステップ２  ユーザは、任意のプリセットアプリケーションプログラムをクリックすることで操作記録を作成し、操作記録は、リモートサーバに自動的に送信される。リモートサーバは、操作記録を受信すると、ＳＩＭカードの請求残高情報を自動的に照合し、残高取得指示を、通信プロバイダのドッキングサーバへと送信する。ＳＩＭカードの請求残高には、呼び出し時間及び利用可能なデータの使用が含まれる。
【００１９】
ステップ３  ドッキングサーバは、残高取得指示を受信すると、サービスプロバイダのデータベースにより、サービスプロバイダのＩＤを最初に自動検証する。検証結果がサービスプロバイダのＩＤが有効であることを示すと、ドッキングサーバは、対応するＳＩＭカードの残高をリアルタイムで調整し、ＳＩＭカードの現在の残高情報をサービスプロバイダのリモートサーバへと送信する。  
【００２０】
ステップ４  リモートサーバは、現在の残高情報を受信し、この残高をユーザにフィードバックする。具体的な実現工程について以下に説明する。
【００２１】
ステップ４．１  リモートサーバは、ドッキングサーバから現在の残高情報を受信すると、現在の残高情報をネットワークにアップロードする。  
【００２２】
ステップ４．２  ユーザはプリセットアプリケーションプログラムを確認し、登録アカウントにログオンすることで、ＳＩＭカードの現在の残高情報を閲覧する。  
【００２３】
ＳＩＭカードは、ユーザ位置情報を取得し、これをリモートサーバに送信するため、移動通信装置（全地球測位システム、リアルタイムＩＰアドレス、最新の受信信号及び最寄りの伝送装置など）の位置設定と組み合わせて使用される。ユーザ位置情報を受信後、リモートサーバは、プリセット情報データベースからの全種類のリアルタイムのユーザ周辺情報を照合、提供するため、ＳＩＭカードの登録及び起動時にユーザにより入力された基本情報と組み合わせてユーザ位置情報を使用する。
【発明の効果】
【００２４】
本発明の利点は、ＳＩＭカードの起動方法がより便利になり、より広い普及が見込める点にある。またユーザはリアルタイムで呼び出し時間の取得や利用可能なデータの使用を簡単かつ素早く実行できる。更にユーザは、サービスプロバイダが推奨する、位置関連周辺情報取得のため、プリセットアプリケーションプログラムを利用することができる。これは、ある国や地域に、ビジネスや旅行で初めて訪れる訪問者にとって特に便利である。
【図面の簡単な説明】
【００２５】
【図１】本発明を実施するための流れ図である。
【図２】ＳＩＭカード起動後の、移動通信装置の操作インターフェースの概略図である。
【図３】ＳＩＭカードによって送信されたユーザ位置情報を受信し、関連周辺情報をユーザに送信する、リモートサーバの概略図である。
【発明を実施するための形態】
【００２６】
添付図面を参照して本発明について説明する。本発明は、この技術解決策の前提条件に基づいて実施されるが、この実施例に制限されることはない。
【００２７】
図１において、ＳＩＭカードの起動及びリアルタイム残高取得方法は、以下のステップを含む。
【００２８】
ステップ１  ＳＩＭカードを入手後、ユーザはこのＳＩＭカードを移動通信装置に装着する。
【００２９】
ステップ２  ユーザが移動通信装置を始動させると、ＳＩＭカードは、この移動通信装置の操作インターフェースを介して登録起動の指示メッセージを表示する。ユーザは登録を完了させ、インターフェースのプロンプトに従いＳＩＭカードを起動する。ＳＩＭカードは、移動通信装置にいくつかのプリセットアプリケーションプログラムを自動的にインストールする。
【００３０】
更に、ステップ２の具体的な実現工程について以下に説明する。
【００３１】
ステップ２．１  ユーザが移動通信装置の電源を入れると、ＳＩＭカードも始動する。この際、ＳＩＭカードは自身の起動の有無を確認するため、自己検証を最初に実行する。有の場合、ＳＩＭカードは直接移動通信装置に接続され、そうでなければ、ＳＩＭカードは移動通信装置の操作インターフェース上に登録起動の指示メッセージを表示する。
【００３２】
ステップ２．２  ユーザは、登録されたアカウント名、基本情報、プロンプトによりプリセットされたパスワードなどの登録情報を入力し、検証を行う。
【００３３】
ステップ２．３  登録されたアカウント名、基本情報およびプリセットパスワードなどの登録情報がサービスプロバイダのリモートサーバに送信され、リモートサーバがこの情報を受信後、ＳＩＭカードが起動される。そしてＳＩＭカードは、いくつかのプリセットアプリケーションプログラムを移動通信装置に自動的にインストールする。
【００３４】
ステップ３  図２において、ユーザは、携帯機器の操作インターフェース２を介してプリセットアプリケーションプログラム１をクリックすることで操作記録を作成し、この操作記録は、サービスプロバイダのリモートサーバに自動的に送られる。リモートサーバは、操作記録を受信すると、ＳＩＭカードの請求残高情報を自動的に照合して、残高取得についての指示を通信プロバイダのドッキングサーバに送信する。ＳＩＭカードの請求残高は、呼び出し時間と利用可能なデータの使用とを含む。
【００３５】
ＳＩＭカードが起動されると、移動通信装置の操作インターフェース２を介してサービスプロバイダのプリセット情報が自動的に表示される。ＳＩＭカードが起動され、ユーザが移動通信装置の画面を開くと、移動通信装置の操作インターフェース２により情報が自動的に表示される。この情報は、別の方式でも表示可能である。すなわちＳＩＭカードが起動され、移動通信装置の画面がユーザによって開かれる前に、移動通信装置の操作インターフェースを介して情報が自動的に再生される。ユーザは、情報を削除するため、情報インターフェースを上下にスライドする、情報インターフェースの「閉じる」ボタンをクリックする、又は情報の表示が完了後、自動的に削除されるまで待機するかの選択が可能である。
【００３６】
ステップ４  残高取得の指示を受信後、ドッキングサーバは、サービスプロバイダのデータベースに従い、最初にこのサービスプロバイダのＩＤを自動検証する。検証結果により、サービスプロバイダのＩＤが有効であると示されると、ドッキングサーバは、対応するＳＩＭカードの残高をリアルタイムで調整し、ＳＩＭカードの現在の残高情報を、サービスプロバイダのリモートサーバに送信する。
【００３７】
ステップ５  リモートサーバは、現在の残高情報を受信し、これをユーザに返す。
【００３８】
更に、ステップ５の具体的な実現工程について説明する。
【００３９】
ステップ５．１  リモートサーバは、現在の残高情報を受信後、この情報をネットワークにアップロードする。
【００４０】
ステップ５．２  ユーザは、プリセットアプリケーションプログラムを確認し、ＳＩＭカードの現在の残高情報を閲覧するため、登録アカウントにログオンする。
【００４１】
図３において、ユーザがプリセットアプリケーションプログラムを開いてログオンすると、ＳＩＭカード１００は、ユーザ位置情報を取得するため移動通信装置（全地球測位システム１０１、最寄りの伝送装置１０２及びリアルタイムＩＰアドレス１０３）の位置設定と組み合わせて使用され、ユーザ位置情報をリモートサーバ１０４に送信する。リモートサーバ１０４は、ユーザ位置情報を受信後、ＳＩＭカードの登録及び起動時にユーザが入力した基本情報と組み合わせてユーザ位置情報を使用し、観光地情報、商業情報及び交通情報など、ユーザのプリセット情報データベースから全種類のリアルタイムのユーザ周辺情報を照合、提供する。
【００４２】
当業者は、上記技術解決策及び概念により、特許請求の範囲を逸脱しない限り、その他の変更や変形をすべて実施することができる。
【図１】
0006546728.tif 000002
【図２】
0006546728.tif 000003
【図３】
0006546728.tif 000004